(57)【特許請求の範囲】
【請求項１】
被冷却物を保存する貯蔵室が内部に形成された筐体と、
前記筐体の前面に設けられ、前記貯蔵室を開閉する扉と、
前記貯蔵室に設けられ、光を照射する発光源を有する照明装置と、
前記照明装置を制御する制御装置と、
前記貯蔵室に格納され、前記照明装置の前記発光源の光が通過する第一通過窓を有する収納ケースと、
前記収納ケースに取り付けられ、前記照明装置の前記発光源の光が通過する第二通過窓を有する収納ケースカバーと、を備え、
前記第二通過窓は、前記第一通過窓と重なる位置に設けられており、
冷却運転を行う通常運転モードと冷却運転を行わないデモモードとを備える冷蔵庫であって、
前記制御装置は、
通常運転モードでは、前記照明装置により、前記扉が閉じた状態で前記貯蔵室内に保存された被冷却物に光を照射させるものであり、
デモモード時においては、
前記扉が開いた状態では、前記照明装置の前記発光源を点灯させ、
前記扉が閉じた状態では、前記照明装置の前記発光源を消灯させるものである
冷蔵庫。
【請求項２】
前記制御装置は、デモモード時において、
前記扉が開いた状態では、通常運転モード時における前記扉が閉じた状態での輝度よりも低い輝度で前記照明装置の前記発光源を点灯させるものである
請求項１に記載の冷蔵庫。
【請求項３】
前記照明装置の前記発光源の輝度を変更する操作部を備え、
前記制御装置は、
前記操作部により前記照明装置の前記発光源の輝度を変更する操作が行われたら、
前記照明装置の前記発光源の輝度を変更するものである
請求項１または２に記載の冷蔵庫。
【請求項４】
前記照明装置の前記発光源は、光が前方斜め下向きに照射されるように配置されている
請求項１〜３のいずれか一項に記載の冷蔵庫。
【請求項５】
前記収納ケースカバーは正面側に突出した形状を有しており、
前記第二通過窓を形成する周囲壁面のうち、前記第二通過窓よりも下側の下部壁面は、前記第二通過窓よりも上側の上部壁面に対して、背面側に向かって傾斜している
請求項１〜４のいずれか一項に記載の冷蔵庫。
【請求項６】
前記照明装置は、前記貯蔵室の背面壁に設けられており、
前記第一通過窓は、前記収納ケースの背面に設けられている
請求項１〜５のいずれか一項に記載の冷蔵庫。
【発明の詳細な説明】
【技術分野】
【０００１】
本発明は、貯蔵室に照明装置を備えた冷蔵庫に関するものである。
【背景技術】
【０００２】
従来、発光源として複数の発光ダイオード（以下、ＬＥＤと称する）を有する照明装置を野菜室に配置し、野菜室に収納された野菜に向けて照明装置のＬＥＤから光を照射することで、野菜のビタミン量を増加させ、鮮度保持を図る冷蔵庫が提案されている（たとえば、特許文献１参照）。【０００３】
特許文献１に記載されているような従来の冷蔵庫では、野菜のビタミン量増加の効果を増大させるため、照明装置のＬＥＤを高輝度のものにしたり、照明装置のＬＥＤの点灯時間を長くして野菜に光を照射する時間を長くしたりしている。
【先行技術文献】
【特許文献】
【０００４】
【特許文献１】特開２０１５−７５２７６号公報
【発明の概要】
【発明が解決しようとする課題】
【０００５】
主に店頭販売時では、買い物客が照明装置から光を照射しているところを確認したい場合がある。しかし、特許文献１のように照明装置のＬＥＤを高輝度のものにした場合は、買い物客が照明装置を覗いた際に眩しく感じるという課題があった。【０００６】
また、主に店頭販売時では、冷却運転を行わずにＬＥＤを点灯させるデモモードが実施されるが、ＬＥＤの寿命は点灯時間および周囲温度に依存するため、デモモードが長時間実施された場合は、通常運転モードよりもＬＥＤの寿命が短くなってしまうという課題があった。【０００７】
本発明は、以上のような課題を解決するためになされたもので、デモモード時に照明装置を覗いても眩しくなく、発光源の寿命を延ばすことができる冷蔵庫を提供することを目的としている。
【課題を解決するための手段】
【０００８】
本発明に係る冷蔵庫は、被冷却物を保存する貯蔵室が内部に形成された筐体と、前記筐体の前面に設けられ、前記貯蔵室を開閉する扉と、前記貯蔵室に設けられ、光を照射する発光源を有する照明装置と、前記照明装置を制御する制御装置と、前記貯蔵室に格納され、前記照明装置の前記発光源の光が通過する第一通過窓を有する収納ケースと、前記収納ケースに取り付けられ、前記照明装置の前記発光源の光が通過する第二通過窓を有する収納ケースカバーと、を備え、前記第二通過窓は、前記第一通過窓と重なる位置に設けられており、冷却運転を行う通常運転モードと冷却運転を行わないデモモードとを備える冷蔵庫であって、前記制御装置は、通常運転モードでは、前記照明装置により、前記扉が閉じた状態で前記貯蔵室内に保存された被冷却物に光を照射させるものであり、デモモード時においては、前記扉が開いた状態では、前記照明装置の前記発光源を点灯させ、前記扉が閉じた状態では、前記照明装置の前記発光源を消灯させるものである。
【発明の効果】
【０００９】
本発明に係る冷蔵庫によれば、デモモード時において、扉が開いた状態では、通常運転モード時における扉が閉じた状態での輝度よりも低い輝度で照明装置の前記発光源を点灯させるため、照明装置を覗いても眩しくなく、また、扉が閉じた状態では、照明装置の発光源を消灯させるため、発光源の寿命を延ばすことができる。
【図面の簡単な説明】
【００１０】
【図１】本発明の実施の形態１に係る冷蔵庫の縦断面図である。
【図２】本発明の実施の形態１に係る照明装置のＬＥＤのデューティー比と明るさとの関係を示す図である。
【図３】デューティー比を説明する図である。
【図４】本発明の実施の形態１に係る照明装置のＬＥＤのデューティー比５０％時のパルス波形を示す図である。
【図５】本発明の実施の形態１に係る照明装置のＬＥＤのデューティー比７５％時のパルス波形を示す図である。
【図６】本発明の実施の形態１に係る冷蔵庫の機能ブロック図である。
【図７】本発明の実施の形態１に係る冷蔵庫の照明装置の制御処理の流れを示すフローチャートである。
【図８】本発明の実施の形態２に係る冷蔵庫の操作パネルを示す模式図である。
【図９】本発明の実施の形態３に係る冷蔵庫の照明装置を示す模式図である。
【図１０】本発明の実施の形態３に係る冷蔵庫の収納ケースカバーを示す模式図である。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】
実施の形態１．
（冷蔵庫１の構成）
図１は、本発明の実施の形態１に係る冷蔵庫１の縦断面図である。
冷蔵庫１は、前面が開口されて内部に貯蔵空間が形成された筐体９０を有している。筐体９０は、鋼鉄製の外箱と、樹脂製の内箱と、外箱と内箱との間の空間に充填された断熱材と、で構成されている。
【００１３】
筐体９０の内部に形成された貯蔵空間は、１つまたは複数の仕切り部材２０により、食品などの被冷却物を保存する複数の貯蔵室に区画されている。本実施の形態１に係る冷蔵庫１は、複数の貯蔵室として、最上段に配置された冷蔵室１００と、冷蔵室１００の下方に配置された切替室２００と、切替室２００の側方に隣接して切替室２００と並列に配置された製氷室３００と、切替室２００および製氷室３００の下方に配置された冷凍室４００と、冷凍室４００の下方に配置された最下段の野菜室５００と、を備えている。
【００１４】
なお、貯蔵室の構成および配置は上記に限定されず、例えば、野菜室５００と冷凍室４００との位置を入れ替えてもよい。
【００１５】
切替室２００は、冷凍温度帯（例えば、−１８℃程度）、冷蔵温度帯（例えば、３℃程度）、チルド温度帯（例えば、０℃程度）、ソフト冷凍温度帯（例えば、−７℃程度）などの各種温度帯に、保冷温度帯を切り替えることができるようになっている。
【００１６】
冷蔵室１００の前面に形成された開口部には、当該開口部を開閉する回転式の扉８が設けられている。冷蔵庫１の前面となる回転式の扉８の外側表面には、貯蔵室の保冷温度の設定および急冷設定などを行う操作部である操作パネル６が設けられている。
【００１７】
冷蔵室１００以外の各貯蔵室、つまり、切替室２００、製氷室３００、冷凍室４００、および、野菜室５００は、それぞれ引出し式の扉７によって開閉されるようになっている。これらの引出し式の扉７は、扉７に固定して設けられたフレーム７ａを各貯蔵室の左右の内壁面に水平に形成されたレール（図示せず）に対してスライドさせることにより、冷蔵庫１の奥行方向、つまり前後方向に開閉できるようになっている。
【００１８】
野菜室５００には、被冷却物を内部に収納できる収納ケース５０１が引出し自在に格納されている。収納ケース５０１は、扉７のフレーム７ａによって支持されており、扉７の開閉に連動して前後方向にスライドするようになっている。同様に、切替室２００および冷凍室４００には、被冷却物を内部に収納できる収納ケース２０１、４０１がそれぞれ引出し自在に格納されている。なお、各貯蔵室に設けられる収納ケースの数はそれぞれ１つであってもよいが、冷蔵庫１全体の容量を考慮して整理性などが向上する場合には２つ以上であっても構わない。
【００１９】
（冷却機構）
冷蔵庫１の背面側には、各貯蔵室を冷却するための冷却機構として、圧縮機２と、冷却器３と、送風ファン４と、風路５と、制御装置５０と、を備えている。
制御装置５０は、例えば、専用のハードウェア、または記憶部に格納されるプログラムを実行するＣＰＵ（Central Processing Unit、中央処理装置、処理装置、演算装置、マイクロプロセッサ、マイクロコンピュータ、プロセッサともいう）で構成され、冷蔵庫１の動作を制御する。
【００２０】
以下、本実施の形態１に係る冷蔵庫１の冷却運転について説明する。
圧縮機２および冷却器３により作り出された冷気は、送風ファン４によって風路５を通った後、冷凍室４００、切替室２００、製氷室３００、および、冷蔵室１００へと送風され、各貯蔵室を冷却する。
【００２１】
冷蔵室１００の戻り冷気は、冷蔵室用帰還風路（図示せず）を循環することにより野菜室５００を冷却し、その後、野菜室用帰還風路（図示せず）より冷却器３に戻される。各貯蔵室の温度は、各貯蔵室に設置されたサーミスタ（図示せず）により検知され、あらかじめ設定された温度になるように、風路５に設置されたダンパ（図示せず）の開度、圧縮機２の出力、および、送風ファン４の送風量を調整することで制御される。
【００２２】
また、野菜室５００内には、扉７の開閉状態を検知する扉開閉検知スイッチ９と、背面側の一部が開口した第一通過窓５０１ａを有する収納ケース５０１と、一部が開口した第二通過窓４０ａを有し、第二通過窓４０ａと第一通過窓５０１ａとが重なる位置に取り付けられる収納ケースカバー４０と、野菜室の背面壁５００ａに取り付けられた照明装置３０と、を備えている。
【００２３】
なお、照明装置３０は、野菜室５００の背面壁５００ａに取り付けられているとしたが、それに限定されず、例えば野菜室５００の側面壁（図示せず）に取り付けてもよい。そして、収納ケース５０１の第一通過窓５０１ａは、照明装置３０が取り付けられる方向と同じ方向に形成するとよく、例えば照明装置３０が野菜室５００の側面壁（図示せず）に取り付けられる場合は、収納ケース５０１の側面に第一通過窓５０１ａを設ける。
【００２４】
（照明装置）
照明装置３０は、発光源として複数の発光ダイオード（以下、ＬＥＤ３２と称する）を有しており、ＬＥＤ３２は下方に傾斜して設けられている。そして、扉７を閉じた状態で、照明装置３０のＬＥＤ３２からの光１２が、第一通過窓５０１ａおよび第二通過窓４０ａを通って、照明装置３０の前方に配置されている野菜室５００の収納ケース５０１に収納された野菜などの被冷却物に照射されるようになっている。このように被冷却物に向けて照明装置３０のＬＥＤ３２から光１２を照射することで、被冷却物のビタミン量を増加させ、鮮度保持を図っている。なお、照明装置３０が有するＬＥＤ３２は複数に限定されず、１つでもよい。
【００２５】
図２は、本発明の実施の形態１に係る照明装置３０のＬＥＤ３２のデューティー比と明るさとの関係を示す図であり、図３は、デューティー比を説明する図であり、図４は、本発明の実施の形態１に係る照明装置３０のＬＥＤ３２のデューティー比５０％時のパルス波形を示す図であり、図５は、本発明の実施の形態１に係る照明装置３０のＬＥＤ３２のデューティー比７５％時のパルス波形を示す図である。
【００２６】
本実施の形態１に係る冷蔵庫１は、照明装置３０のＬＥＤ３２の明るさ（輝度）を変更することができるようになっている。照明装置３０のＬＥＤ３２の明るさの変更方法としては、図３に示すようにＬＥＤ３２の点灯時間／周期であるデューティー比を変更する方法がある。ここで、周期＝点灯時間＋消灯時間である。つまり、１周期当たりの点灯時間と消灯時間との比率を変更する方法である。これは、人間の錯覚により、数ｋＨｚの短い周期で点灯と消灯とを切り替えても、ＬＥＤ３２が点滅しているようには見えず、ＬＥＤ３２の明るさが増加または減少して見えることを利用している。
【００２７】
図２に示すように、デューティー比が大きくなるにつれて、消灯時間に対する点灯時間は長くなり、照明装置３０のＬＥＤ３２は明るくなる。一方、デューティー比が小さくなるにつれて、消灯時間に対する点灯時間は短くなり、照明装置３０のＬＥＤ３２は暗くなる。なお、デューティー比５０％ではＬＥＤ３２の点灯時間とＬＥＤ３２の消灯時間との比が１：１であり、図４に示すようなパルス波形となる。また、デューティー比７５％ではＬＥＤ３２の点灯時間とＬＥＤ３２の消灯時間との比が３：１であり、図５に示すようなパルス波形となる。
【００２８】
以上のように、本実施の形態１では、照明装置３０のＬＥＤ３２を明るくしたい場合は、デューティー比を大きくし、照明装置３０のＬＥＤ３２を暗くしたい場合は、デューティー比を小さくすることで、照明装置３０のＬＥＤ３２の明るさを変更している。つまり、デューティー比を変更しているが、ＬＥＤ３２に流れる電流量は一定としている。
【００２９】
しかし、本実施の形態１のようにデューティー比を変更する方法ではなく、抵抗値の異なる抵抗を複数設け、ＬＥＤ３２に流れる電流が通る抵抗を変更する方法、つまり、デューティー比は一定とし、照明装置３０のＬＥＤ３２に流れる電流量を変更し、照明装置３０のＬＥＤ３２の明るさを変更する方法を用いてもよい。
【００３０】
（機能ブロック）
図６は、本発明の実施の形態１に係る冷蔵庫１の機能ブロック図である。なお、図１に示した構成要素と同一の構成要素には同一の符号を付している。
本実施の形態１に係る冷蔵庫１の制御装置５０は、測定部５１と、演算部５２と、判定部５３と、駆動部５４と、を備えている。制御装置５０は、操作パネル６、サーミスタ１０、および、扉開閉検知スイッチ９から信号が入力されるようになっている。また、圧縮機２、送風ファン４、ダンパ１１、および、照明装置３０に信号を出力するようになっている。
【００３１】
測定部５１は、操作パネル６から操作内容に対応した信号、および、サーミスタおよび扉スイッチが検知した信号を、取得するものである。演算部５２は、測定部５１が取得した各信号を処理するものである。判定部５３は、演算部５２の処理結果に基づき、各種判定を行うものである。駆動部５４は、判定部５３の判定結果に基づき、圧縮機２、送風ファン４、ダンパ１１、および、照明装置３０に駆動信号を出力し、それらを駆動するものである。記憶部５５は、各種情報を記憶するものである。
【００３２】
本実施の形態１に係る冷蔵庫１では、操作パネル６から照明装置３０のＬＥＤ３２の点灯または消灯が選択できるようになっている。そして、照明装置３０のＬＥＤ３２の点灯または消灯を選択する操作が行われたら、操作パネル６から点灯信号または消灯信号が制御装置５０に送られ、制御装置５０は、点灯信号または消灯信号に応じて、照明装置３０のＬＥＤ３２を点灯または消灯する。なお、照明装置３０のＬＥＤ３２の点灯に関して、デューティー比１００％以外の場合は厳密に言うと点滅であるが、以下、デューティー比１００％以外の場合でも点灯と称する。
【００３３】
本実施の形態１に係る冷蔵庫１は、通常使用時に実施される通常運転モードと、主に店頭販売時に実施されるデモモードと、を備えている。通常運転モードからデモモードへの切り替え、および、デモモードから通常運転モードへの切り替えは、例えば操作パネル６から複数ボタン同時押しなどの特殊操作により行うことができる。
【００３４】
通常運転モードは、冷却運転を行い、また、操作パネル６から点灯指示があった場合は、扉７が開いた状態および扉７が閉じた状態で照明装置３０のＬＥＤ３２を点灯させるモードである。なお、通常運転モード時において、扉７を閉じた状態に比べて扉７を開いた状態の方が、照明装置３０の輝度を低くしている。これは、使用者が照明装置３０を覗いても眩しくないようにするためである。
【００３５】
また、デモモードは、冷却運転を行わず、扉７が開いた状態では照明装置３０のＬＥＤ３２を点灯させ、扉７が閉じた状態では照明装置３０のＬＥＤ３２を消灯させるモードである。デモモード時において、扉７が開いた状態では照明装置３０のＬＥＤ３２を点灯させているが、通常運転モード時の扉７を閉じた状態よりも輝度を低くしている。これは、使用者が照明装置３０を覗いても眩しくないようにするためである。また、扉７が閉じた状態では照明装置３０のＬＥＤ３２を消灯している。これは、デモモード時の扉７が閉じた状態では照明装置３０のＬＥＤ３２の点灯は不要であり、消灯させることによりＬＥＤ３２の寿命を延ばすためである。
【００３６】
図７は、本発明の実施の形態１に係る冷蔵庫１の照明装置３０の制御処理の流れを示すフローチャートである。
以下、本実施の形態１に係る冷蔵庫１の照明装置３０の制御処理について図７を用いて説明する。
制御装置５０の判定部５３は、操作パネル６から入力された信号に基づいて、デモモード中であるかどうかを判定する（ステップＳ１０）。
制御装置５０の判定部５３は、デモモード中であると判定したら（ステップＳ１０のＹｅｓ）、ステップＳ１６へ進む。
一方、制御装置５０の判定部５３は、デモモード中ではない、つまり通常運転モード中であると判定したら（ステップＳ１０のＮｏ）、ステップＳ１１へ進む。
【００３７】
ステップＳ１６において、制御装置５０の判定部５３は、扉開閉検知スイッチ９から入力された信号に基づいて、扉７が開いているかどうかを判定する。
制御装置５０の判定部５３は、扉７が開いていると判定したら（ステップＳ１６のＹｅｓ）、制御装置５０の駆動部５４は、照明装置３０のＬＥＤ３２を低輝度、例えばデューティー比５０％で点灯させる（ステップＳ１７）。
一方、制御装置５０の判定部５３は、扉７が開いていない、つまり扉７が閉じていると判定したら（ステップＳ１６のＮｏ）、制御装置５０の駆動部５４は、照明装置３０のＬＥＤ３２を消灯させる（ステップＳ１８）。
【００３８】
ステップＳ１１において、制御装置５０の判定部５３は、操作パネル６から入力された信号に基づいて、点灯指示があったかどうかを判定する。
制御装置５０の判定部５３は、点灯指示があったと判定したら（ステップＳ１１のＹｅｓ）、ステップＳ１３へ進む。
一方、制御装置５０の判定部５３は、点灯指示がない、つまり、消灯指示あったと判定したら（ステップＳ１１のＮｏ）、制御装置５０の駆動部５４は、照明装置３０のＬＥＤ３２を消灯させる（ステップＳ１２）。
【００３９】
ステップＳ１３において、制御装置５０の判定部５３は、扉開閉検知スイッチ９から入力された信号に基づいて、扉７が開いているかどうかを判定する。
制御装置５０の判定部５３は、扉７が開いていると判定したら（ステップＳ１３のＹｅｓ）、制御装置５０の駆動部５４は、照明装置３０のＬＥＤ３２を低輝度、例えばデューティー比５０％で点灯させる（ステップＳ１４）。
一方、制御装置５０の判定部５３は、扉７が開いていない、つまり扉７が閉じていると判定したらと判定したら（ステップＳ１３のＮｏ）、制御装置５０の駆動部５４は、照明装置３０のＬＥＤ３２を高輝度、例えばデューティー比１００％で点灯させる（ステップＳ１５）。
【００４０】
以上、本実施の形態１に係る冷蔵庫１によれば、デモモード時において、扉７が開いた状態では、通常運転モード時における扉７が閉じた状態での輝度よりも低い輝度で照明装置３０のＬＥＤ３２を点灯させ、扉７が閉じた状態では、照明装置３０のＬＥＤ３２を消灯させている。こうすることにより、扉７が開いた状態で使用者が照明装置３０を覗いても眩しくないようにすることができ、照明装置３０のＬＥＤ３２の点灯確認を行いやすくすることができる。さらに、低輝度時の方が、高輝度時よりも消灯時間に対する点灯時間が短くなるため、発光源であるＬＥＤ３２の寿命を延ばすことができる。また、デモモード時の扉７が閉じた状態では照明装置３０のＬＥＤ３２の点灯は不要であり、消灯させることによりＬＥＤ３２の寿命を延ばすことができる。
【００４１】
また、通常運転モード時において、扉７が開いた状態では照明装置３０のＬＥＤ３２を低輝度で点灯させ、扉７が閉じた状態では照明装置３０のＬＥＤ３２を高輝度で点灯させている。こうすることにより、扉７が開いた状態で使用者が照明装置３０を覗いても眩しくないようにすることができ、照明装置３０のＬＥＤ３２の点灯確認を行いやすくすることができる。さらに、低輝度時の方が、高輝度時よりも消灯時間に対する点灯時間が短くなるため、ＬＥＤ３２の寿命を延ばすことができる。また、扉７が閉じた状態では使用者が照明装置３０を覗くことはないため、照明装置３０のＬＥＤ３２を高輝度で点灯させることにより、被冷却物のビタミン量増加の効果、および、鮮度保持の効果を増大させることができる。
【００４２】
なお、通常運転モード時において、扉７が開いた状態では照明装置３０のＬＥＤ３２を低輝度で点灯させるとしたが、照明装置３０のＬＥＤ３２を消灯させてもよい。
【００４３】
また、本実施の形態１に係る照明装置３０は、発光源として複数のＬＥＤ３２を有しているとしたが、それに限定されず、ＬＥＤ３２以外でもよい。例えば、発光源を白熱電球とすれば、ＬＥＤ３２よりも安いため、照明装置３０の部品コストを抑えることができる。
【００４４】
また、照明装置３０は、野菜室５００内に設けられているとしたが、それに限定されず、野菜室５００以外の貯蔵室内に設けられていてもよい。使用者が希望する貯蔵室内に設けることで、利便性を向上させることができる。
【００４５】
また、照明装置３０は、複数の貯蔵室内に設けてもよい。照明装置３０を設ける貯蔵室の数が多くなるほど、冷蔵庫１内に保存した多くの被冷却物のビタミン量を増加させ、鮮度保持を図ることができ、利便性を向上させることができる。
【００４６】
実施の形態２．
以下、本発明の実施の形態２について説明するが、実施の形態１と重複するものについては（一部の）説明を省略し、実施の形態１と同じ部分または相当する部分には同じ符号を付す。
図８は、本発明の実施の形態２に係る冷蔵庫１の操作パネル６を示す模式図である。
本実施の形態２に係る操作パネル６には、図８に示すように輝度変更部６ａが設けられている。
【００４７】
実施の形態１では、扉７が開いた状態では照明装置３０を低輝度で点灯させていたが、低輝度に固定であった。しかし、明るさの感じ方は人によって異なるため、同じ低輝度でも人によっては眩しく感じたり、反対に暗くて照明装置３０の点灯確認が行いづらかったりということがある。そこで、本実施の形態２では、使用者が輝度変更部６ａを操作することで、扉７が開いた状態での照明装置３０のＬＥＤ３２の輝度を自由に変更することができるようになっている。
【００４８】
以上、本実施の形態２に係る冷蔵庫１によれば、使用者が輝度変更部６ａを操作して照明装置３０の輝度を自由に変更することができる。そのため、扉７が開いた状態で使用者が照明装置３０を覗いても確実に眩しくないようにすることができ、照明装置３０のＬＥＤ３２の点灯確認をより行いやすくすることができる。
【００４９】
なお、本実施の形態２では、輝度変更部６ａを操作することで、扉７が開いた状態での照明装置３０のＬＥＤ３２の輝度を変更することができるとしたが、扉７が閉じた状態での照明装置３０のＬＥＤ３２の輝度も変更することができるようにしてもよい。また、扉７が閉じた状態での照明装置３０のＬＥＤ３２の輝度を変更することができる場合は、扉７が閉じた状態での照明装置３０のＬＥＤ３２の輝度に応じて、扉７が開いた状態での照明装置３０のＬＥＤ３２の輝度を変更するようにしてもよい。
【００５０】
実施の形態３．
以下、本発明の実施の形態３について説明するが、実施の形態１および２と重複するものについては（一部の）説明を省略し、実施の形態１および２と同じ部分または相当する部分には同じ符号を付す。
図９は、本発明の実施の形態３に係る冷蔵庫１の照明装置３０を示す模式図である。なお、図９（ａ）は、照明装置３０の正面図であり、図９（ｂ）は、図９（ａ）のＡ−Ａ断面図である。
【００５１】
本実施の形態３に係る照明装置３０は、図９に示すように、野菜室５００の背面壁５００ａに対して平行に取り付けられており、複数のＬＥＤ３２が前面側に実装されたＬＥＤ基板３３と、ＬＥＤ基板３３の前方を覆う照明装置カバー３１と、を備えている。照明装置カバー３１は、ＬＥＤの光１２が外部から直接見えないように、つまり、ＬＥＤの光１２を遮るように、全体が不透明な樹脂材料からなる。また、照明装置カバー３１は、ＬＥＤ３２の光１２が外部に通過するように、ＬＥＤ３２が設けられている位置の近くに、一部が開口した第三通過窓３１ａを有している。この第三通過窓３１ａの大きさを調整することで、ＬＥＤ３２の光１２の照射範囲を定めることができる。なお、第三通過窓３１ａを設ける代わりに、透明な樹脂材料からなる透過窓を設け、ＬＥＤ３２の光１２がその透過窓を透過するようにしてもよい。
【００５２】
ＬＥＤ３２およびＬＥＤ基板３３は、照明装置３０が取り付けられる野菜室５００の背面壁５００ａに対して前方斜め下向きに傾斜して設けられている。つまり、ＬＥＤ３２が水平方向よりも下向きに設けられており、ＬＥＤ３２の光１２が前方斜め下向きに照射されるようになっている。このようにすることで、使用者が照明装置３０を正面から覗いた場合でも、ＬＥＤ３２の光１２を直視しなくて済むため、眩しくないようにすることができる。
【００５３】
図１０は、本発明の実施の形態３に係る冷蔵庫１の収納ケースカバー４０を示す模式図である。なお、図１０（ａ）は、収納ケースカバー４０の正面図であり、図１０（ｂ）は、図１０（ａ）のＢ−Ｂ断面図である。
本実施の形態３に係る収納ケースカバー４０は、図１０に示すように、収納ケース５０１の背面５０１ｂに対して平行に取り付けられており、一部が開口した第二通過窓４０ａを有している。収納ケースカバー４０の第二通過窓４０ａは、収納ケースカバー４０を収納ケース５０１の背面５０１ｂに取り付けた際に、収納ケース５０１の背面５０１ｂの一部を開口して形成された第一通過窓５０１ａと重なる位置に設けられている。
【００５４】
また、収納ケースカバー４０は、正面側に突出した形状を有しており、第二通過窓４０ａを形成する周囲壁面のうち、第二通過窓４０ａよりも上側の上部壁面４０ｂは、第二通過窓４０ａよりも下側の下部壁面４０ｃよりも正面側に突出して形成されている。すなわち、下部壁面４０ｃの最上部４０ｄは、下部壁面４０ｃの傾斜開始部４０ｅと上部壁面４０ｂの最下部４０ｆとを結ぶ直線に対して、傾斜角θだけ背面側に向かって傾斜している。
【００５５】
この傾斜角θを設定することにより、最下段に配置された野菜室５００の扉７が開いた状態で使用者が正面かつ上方から野菜室５００内を覗いても、第二通過窓４０ａが見えないようにすることができる。そのため、使用者が第二通過窓４０ａを通して照明装置３０のＬＥＤ３２を見ることが困難となり、使用者が野菜室５００内を覗いても眩しくないようにすることができる。さらに、第二通過窓４０ａが見えないため、意匠性を向上させることができる。
【００５６】
なお、本実施の形態３では、野菜室５００の扉７を引き出した状態で、目線が１５０ｃｍである人が野菜室５００の扉７の直前に立ち、野菜室５００内を覗いた場合（目線が１５０ｃｍである人の場合、鉛直方向に対し約１７度程度（１５度〜２０度程度）になる）で斜め下方を見ることになるので、傾斜角θが１３度程度（１０度〜２０度程度）であれば第二通過窓４０ａは見えないので好ましい。したがって、意匠性が向上する。ただし、１５０ｃｍよりも目線が低い子供、１５０ｃｍよりも目線が高い大人、さらにはバラツキなどを考慮し、傾斜角θは５度以上４５度以下に設定するのが望ましい。
【００５７】
また、野菜室５００の扉７が閉じた状態では、照明装置３０のＬＥＤ３２の光１２の経路上に、第二通過窓４０ａおよび第一通過窓５０１ａが位置するようになっている。つまり、収納ケースカバー４０の第二通過窓４０ａおよび収納ケース５０１の第一通過窓５０１ａは、照明装置カバー３１の第三通過窓３１ａと重なるようになっている。そのため、野菜室５００の扉７が閉じた状態では、照明装置３０のＬＥＤ３２の光１２が、第三通過窓３１ａ、第一通過窓５０１ａ、および、第二通過窓４０ａを通って、照明装置３０の前方に配置されている野菜室５００の収納ケース５０１に収納された野菜などの被冷却物に照射されるようになっている。
【００５８】
一方、野菜室５００の扉７が開くにつれ、第二通過窓４０ａおよび第一通過窓５０１ａの位置は、照明装置３０のＬＥＤ３２の光１２の経路上からずれるようになっている。つまり、収納ケースカバー４０の第二通過窓４０ａおよび収納ケース５０１の第一通過窓５０１ａは、照明装置カバー３１の第三通過窓３１ａからずれるようになっている。そのため、野菜室５００の扉７が開いいた状態では、照明装置３０のＬＥＤ３２の光１２の全部または大半が、収納ケースカバー４０の第二通過窓４０ａを通過せず、収納ケースカバー４０に遮られるようになっている。そのため、使用者が野菜室５００内を覗いても眩しくないようにすることができる。
【００５９】
また、照明装置３０は、野菜室５００の背面壁５００ａに取り付けられているため、野菜室５００の扉７が開いた状態で、使用者が野菜室５００内を正面から覗いた際に、収納ケースカバー４０の後方に照明装置３０を隠すことができるようになっている。そのため、意匠性を向上させることができる。
【００６０】
以上、本実施の形態３に係る冷蔵庫１によれば、ＬＥＤ３２は、野菜室５００の背面壁５００ａに対して前方斜め下向きに傾斜して設けられており、ＬＥＤ３２からの光１２が前方斜め下向きに照射されるようになっている。そのため、使用者が照明装置３０を正面から覗いた場合でも、ＬＥＤ３２からの光１２を直視しなくて済むため、眩しくないようにすることができる。
【００６１】
また、収納ケースカバー４０は、正面側に突出した形状を有しており、下部壁面４０ｃは、上部壁面４０ｂに対して、傾斜角θだけ背面側に向かって傾斜している。そのため、最下段に配置された野菜室５００の扉７が開いた状態で使用者が正面かつ上方から野菜室５００内を覗いても、第二通過窓４０ａが見えないようにすることができる。
【００６２】
また、野菜室５００の扉７が開いた状態では、照明装置３０のＬＥＤ３２の光１２が収納ケースカバー４０の第二通過窓４０ａを透過せず、収納ケースカバー４０に遮られるようになっている。そのため、使用者が第二通過窓４０ａを通して照明装置３０のＬＥＤ３２を見ることが困難であり、また、照明装置３０のＬＥＤ３２の光１２が収納ケースカバー４０に遮られるため、使用者が野菜室５００内を覗いても眩しくないようにすることができる。さらに、第二通過窓４０ａが見えないため、意匠性を向上させることができる。
【符号の説明】
【００６３】
１  冷蔵庫、２  圧縮機、３  冷却器、４  送風ファン、５  風路、６  操作パネル、６ａ  輝度変更部、７  扉、７ａ  フレーム、８  扉、９  扉開閉検知スイッチ、１０  サーミスタ、１１  ダンパ、１２  光、２０  仕切り部材、３０  照明装置、３１  照明装置カバー、３１ａ  第三通過窓、３２  ＬＥＤ、３３  ＬＥＤ基板、４０  収納ケースカバー、４０ａ  第二通過窓、４０ｂ  上部壁面、４０ｃ  下部壁面、４０ｄ  （下部壁面の）最上部、４０ｅ  （下部壁面の）傾斜開始部、４０ｆ  （上部壁面の）最下部、５０  制御装置、５１  測定部、５２  演算部、５３  判定部、５４  駆動部、５５  記憶部、９０  筐体、１００  冷蔵室、２００  切替室、２０１  収納ケース、３００  製氷室、４００  冷凍室、４０１  収納ケース、５００  野菜室、５００ａ  背面壁、５０１  収納ケース、５０１ａ  第一通過窓、５０１ｂ  背面壁。
【図１】
0006591069.tif 000002
【図２】
0006591069.tif 000003
【図３】
0006591069.tif 000004
【図４】
0006591069.tif 000005
【図５】
0006591069.tif 000006
【図６】
0006591069.tif 000007
【図７】
0006591069.tif 000008
【図８】
0006591069.tif 000009
【図９】
0006591069.tif 000010
【図１０】
0006591069.tif 000011